(57)【要約】      （修正有）【課題】クレーン等による金型や治具等の鉄製品の移動、据置を安全、確実にかつ短時間でできる鉄製品用の緩衝材を提供する。【解決手段】予め表面に磁石３を埋め込んだ角材２を金型の下に吸着させた上で移動し設置する。磁石は表面に張り付けられているわけでなく、溝に埋め込まれている。上面に貼ってあると全ての重さが磁石にかかって擦り切れ、剥がれ、破損することが多いが、埋め込まれていることによって重さを木材の部分で支えることができる。【選択図】図１
0003188516.tif 000002
【実用新案登録請求の範囲】
【請求項１】
非磁性物質と磁石とからなることを特徴とする鉄製品用緩衝材
【請求項２】
磁石が非磁性物質に埋め込まれていることを特徴とする請求項１に記載の鉄製品用緩衝材
【請求項３】
磁石がプラスティク系磁石であることを特徴とする請求項１または請求項２に記載の鉄製品用緩衝材
【請求項４】
プラスティク系磁石が非磁性物質より飛び出ていることを特徴とする請求項１〜請求項３のいずれかに記載の鉄製品用緩衝材
【考案の詳細な説明】
【技術分野】
【０００１】
本考案は、金型、治具等を移動しその据え置きする場合に使用する緩衝材に関する。
【背景技術】
【０００２】
従来チェーンブロック、フォークリフト等を使用して金型、治具等を移動しその据え置きをしていた。その際、目的の場所に予め角材等を置き金型、治具等が安定を得るまでチェーンブロックの上下を繰り返しながらその角材の位置を微調整していた。なお、磁石と木材の複合材については、ブロック玩具が開示されている。
【先行技術文献】
【特許文献】
【０００３】
【特許文献１】実用新案登録第３１４３７６０号公報
【特許文献２】特開２００３−１１１９８３号公報
【特許文献３】実用新案登録第３１２４８１４号公報
【考案の概要】
【考案が解決しようとする課題】
【０００４】
精密かつ重量のある金型、治具等をバランスよく置くには従来の方法では不安定かつ不確実な為、本考案の緩衝材はそれを移動式で安全、確実にかつ短時間に行える事を目的にしたものである。
【０００５】
金型や治具等の鉄製品の移動、据置にあたってその保護と作業を安全、確実に行う置き台を得る。金型や治具等の鉄製品の移動、据置にあたっては、通常、吊り下げ用のワイヤをかけてのクレーンによる方法やフォークリフト等を用いる方法により行われている。そのためには、対象となる製品の下部にワイヤを通すためや、フォークリフトのフォーク（つめ）を差し込むためのスペースが必要である。このような目的には、例えば角材を挿入することが行われている。なお、このスペースを確保するための部材には、鉄製品同士の直接の接触を避け、傷の発生を防止する作用も持っている。
【０００６】
実際の作業においては、対象物（例えば金型、鋼板）をクレーンで移動させる場合は、角材の上に乗った対象物にワイヤーを掛けて浮かせ、角材を取りだし、移動先の位置にまず角材を移動して設置し、その上に対象物を乗せる。
【０００７】
この作業には幾つかの問題点がある。
・  角材は低い位置に置かれている場合が多く、無理な姿勢になることが多い。
・  空中にある不安定な対象物の近辺での取り上げ、再設置作業となるため、対象物の傾き、落下に起因する不慮の事故が起こる可能性がある。
・  設置位置が適当でない場合がしばしば起こり、修正に手間がかかりまた、その作業は危険が伴う。
４．大型の重機が配備されていない工場においては、一旦床等に置かれたインゴットを他の場所に搬送することが容易ではなかった。その時々に危険、かつ、面倒な作業が必要であった。
【課題を解決するための手段】
【０００８】
この考案は、上記背景技術に鑑みて成されたもので、フォークリフト等でも容易に搬送することを目的としたもので、予め表面に磁石を埋め込んだ角材を金型の下に吸着させた上で移動し設置するもので、
第１の考案は、非磁性物質と磁石とからなる鉄製品用緩衝材である。
第２の考案は、第１の考案において、マグネットが非磁性物質溝に埋め込まれている鉄製品用緩衝材である。
第３の考案は、第１、または、第２の考案において、磁石がプラスティク系磁石である鉄製品用緩衝材である。
第４の考案は、第１〜第３のいずれかの考案において、プラスティク系磁石が非磁性物質より飛び出ていることを特徴とする請求項１〜請求項３のいずれかに記載の鉄製品用緩衝材である。
【考案の効果】
【０００９】
チェーンブロックで浮かせた状態で金型、治具に本考案品を簡単に吸着させることが出来る為、予めのバランス調整が容易で安全にかつ短時間に作業を終える事が出来る。マグネットが表面に張り付けられているわけでなく、溝に埋め込まれているため、上面に貼ってある場合のように、全ての重さがマグネットにかかって擦り切れ、剥がれ、破損することがない。すなわち、埋め込まれていることによって重さを木材の部分で支えていることによる。
【図面の簡単な説明】
【００１０】
【図１】図１は本考案の実施例である。
【考案を実施するための形態】
【実施例１】
【００１１】
図１に実施例１を示す。１辺が１０センチ角長さ５０センチ程度の角材２にプラスティク系磁石（ゴム系磁石）３を嵌め込み固着させた上、移動しようとする金型、治具等に装着する。角材は、鉄製の金型、治具等を損傷させない為には木材を用いることが好ましい。また、図示したように、プラスティク系磁石（ゴム系磁石）３は角材２の表面より、飛び出ていることが好ましい。
【００１２】
本考案の製品は角材２の溝にプラスティク系磁石（ゴム系磁石）３を埋め込んだものである。磁石の力は通常の鉄鋼材料の下部に接触して本考案を位置させた場合に本考案品が重力により落下しない程度とする。もちろん、磁石が吸着力を持つ状態と持たない状態の切り替えが可能なものも使用可能である。また、電磁石も可能であるが、その場合は電池を使用するものが適当である。電磁磁石の場合はもちろん、ON、OFFができることが好ましい。
【００１３】
図示した実施例は、直方体の角材２の溝に棒状のプラスティク系磁石（ゴム系磁石）３を3本配置埋め込んでいるが、もちろん、これに限定させるものではない。1面が平面であれば、他の面が丸い形等の種々の形状のものも使用可能である。また、図示した実施例では、磁石の表面が母材（角材等）の表面より飛び出ているが、場合によっては、同一面上にあっても良く、磁石の表面が母材（角材等）の表面より内部位置していても良い。
【００１４】
内部に入っている場合は、鋼材表面と磁石が直接に接することがないため、磁石が金属系であっても、傷付きにくく、また、プラスティック系磁石（ゴム系磁石）の場合は摩耗し難い。いずれにしても、マグネットが表面に張り付けられているわけでないため、全ての重さがマグネットにかかってマグネットが擦り切れ、剥がれ、破損することはない。
【００１５】
角材に木材を使用する場合の材質は、固いものが優れているが、板目面硬さは１．２kgf/mm2程度であれば良い。
なお、磁石は母材の内部にある場合も本発明の範囲である。母材の角材２に穴を開けて
磁石を入れること、樹脂製の母材の製造時にあらかじめ作りこんでおくことで、安価な製品とすることができる。
【００１６】
なお、以上の例では、プラスティク系磁石（ゴム系磁石）３を用いた例を示した。磁石の種類は、本考案の成立の基本的な要件ではない。鉄系磁石、希土類系磁石、あるは、電磁石も使用可能であるが、製品を傷つけないという面では、プラスティク系磁石（ゴム系）３が優れている。
【００１７】
なお、本考案の緩衝材は、金型等の下部に設置する以外に、側部、上部に設置(配置)することも可能なことはもちろんである。
【産業上の利用可能性】
【００１８】
本考案は金型、治具等の移動、据え置きに関するもので、関連する産業分野は多岐に及び、製造業の振興に役立つ。
【符号の説明】
【００１９】
１  本考案の鉄製品用の緩衝材
２  角材
３  プラスティク系磁石（ゴム系磁石）
【図１】
0003188516.tif 000003
【手続補正書】
【提出日】平成25年11月12日(2013.11.12)
【手続補正１】
【補正対象書類名】実用新案登録請求の範囲
【補正対象項目名】全文
【補正方法】変更
【補正の内容】
【実用新案登録請求の範囲】
【請求項１】
磁石が非磁性物質に埋め込まれていることを特徴とする鉄製品用緩衝材
【請求項２】
磁石がプラスティク系磁石であることを特徴とする請求項１に記載の鉄製品用緩衝材    
【請求項３】
プラスティク系磁石が非磁性物質より飛び出ていることを特徴とする請求項２に記載   の鉄製品用緩衝材